(57)【要約】【課題】本発明は、通常の運転動作の準備が完了しない状態において、ネットワークとの通信設定を行うために電源を投入した場合でも、電動機の空転を防止し、電動機を保護することを目的とする。【解決手段】制御装置３００は、給湯機の作動モードを通常運転モードと運転制限モードとの間で切換える機器側操作手段３０３を備える。運転制限モードでは、ネットワーク５００との通信設定が行われることを許可した状態で圧縮機２０１及びポンプ１０２，１０３，１１２の全ての電動機の作動を禁止する。給湯機の設置工事等では、例えば配管系統よりも電源系統の方が先に設置されている場合に、機器側操作手段３０３を用いて給湯機の作動モードを運転制限モードに設定しておく。これにより、通信設定を完了するために電源を投入した場合に、通水していない電動機の空転を防止しつつ、通信設定を円滑に行うことができる。【選択図】図３
2014095536.tif 000002
【特許請求の範囲】
【請求項１】
湯水を加熱する加熱装置と、
前記加熱装置に出入りする湯水が流通する回路であって、少なくとも一部が給湯対象と接続された湯水流通回路と、
駆動源となる電動機が搭載されると共に前記湯水流通回路に接続され、前記電動機の作動時に前記湯水流通回路に湯水を流通させるポンプと、
外部のネットワークと通信する機能を有し、前記加熱装置及び前記電動機を制御する制御装置と、
前記電動機が作動する通常の運転動作を許可する通常運転モードと、前記ネットワークとの通信設定が行われることを許可した状態で前記電動機の作動を禁止する運転制限モードとからなる少なくとも２つの作動モードを有し、前記作動モードを前記通常運転モードと前記運転制限モードとの間で切換えるモード切換手段と、
を備えた給湯機。
【請求項２】
前記モード切換手段は、給湯機の電源が遮断された状態でも、電源の遮断前または、遮断中に設定された前記作動モードの保持及び切換を行うことが可能な構成としてなる請求項１に記載の給湯機。
【請求項３】
給湯機の作動状態を操作するリモートコントローラを備え、
前記モード切換手段は前記リモートコントローラに設置する構成としてなる請求項１または２に記載の給湯機。
【請求項４】
給湯機の作動状態を操作するリモートコントローラを備え、
前記モード切換手段は、前記制御装置に設置された第１のモード切換手段と、前記リモートコントローラに設置された第２のモード切換手段と、を備え、
前記第１，第２のモード切換手段の両方が通常運転モード位置に切換えられた場合に、前記作動モードを前記通常運転モードに設定し、前記第１，第２のモード切換手段のうち少なくとも一方の手段が運転制限モード位置に操作された場合に、前記作動モードを前記運転制限モードに切換える構成としてなる請求項１または２に記載の給湯機。
【請求項５】
前記制御装置を作動させる電源と異なる電源により作動し、給湯機の作動状態を操作するリモートコントローラと、
前記リモートコントローラに設置され、前記ネットワークとの通信設定に用いるデータを記憶させることが可能なリモコン側設定記憶手段と、を備え、
前記制御装置の電源投入時には、前記リモコン側設定記憶手段に予め記憶させておいたデータに基いて前記ネットワークとの通信設定を行う構成としてなる請求項１または２のうち何れか１項に記載の給湯機。
【請求項６】
前記通常運転モード中に前記ネットワークから前記通信設定を行う場合に、前記モード切換手段による前記作動モードの設定を無視して前記通常運転モードを維持する構成としてなる請求項１乃至５のうち何れか１項に記載の給湯機。
【請求項７】
前記モード切換手段により設定された前記作動モードの設定を前記ネットワークにより操作することが可能な構成としてなる請求項１乃至６のうち何れか１項に記載の給湯機。
【発明の詳細な説明】
【技術分野】
【０００１】
本発明は、温水を給湯する給湯機に関する。
【背景技術】
【０００２】
従来技術として、例えば特許文献１に記載されているように、インターネット等のネットワークに接続する機能を備えた給湯機が知られている。従来技術の給湯機は、給湯機の設置工事時に実施すべき試運転動作が行われた場合に、ネットワークに接続されたサーバ等に試運転動作の完了を通知する。また、試運転動作が未完了の場合には、設置工事に伴う操作以外の操作が禁止され、使用者の操作が試運転動作に誘導される。これにより、従来技術では、試運転動作の未実施を防止するようにしている。
【先行技術文献】
【特許文献】
【０００３】
【特許文献１】特開２００７−６０６３３号公報
【発明の概要】
【発明が解決しようとする課題】
【０００４】
上述の特許文献１に記載された従来技術では、例えば給湯機をネットワークに接続するための通信設定を行う場合に、試運転動作が完了しているか否かに関係なく、給湯機に電源を投入することがある。しかしながら、このような場合において、例えば設置工事が未完了であるために給湯機内の配管に通水が行われていないと、配管に水を流通させるポンプが空転状態となり、ポンプ及び圧縮機の電動機等が損傷する虞れがある。
【０００５】
本発明は、上述のような課題を解決するためになされたもので、通常の運転動作の準備が完了しない状態において、ネットワークとの通信設定を行うために電源を投入した場合でも、電動機が空転状態となるのを防止し、電動機を保護することが可能な給湯機を提供することを目的とする。
【課題を解決するための手段】
【０００６】
本発明に係る給湯機は、湯水を加熱する加熱装置と、加熱装置に出入りする湯水が流通する回路であって、少なくとも一部が給湯対象と接続された湯水流通回路と、駆動源となる電動機が搭載されると共に湯水流通回路に接続され、電動機の作動時に湯水流通回路に湯水を流通させるポンプと、外部のネットワークと通信する機能を有し、加熱装置及び電動機を制御する制御装置と、電動機が作動する通常の運転動作を許可する通常運転モードと、ネットワークとの通信設定が行われることを許可した状態で電動機の作動を禁止する運転制限モードとからなる少なくとも２つの作動モードを有し、作動モードを通常運転モードと運転制限モードとの間で切換えるモード切換手段と、を備えている。
【発明の効果】
【０００７】
本発明によれば、例えば給湯機の設置工事等において、配管系統よりも電源系統の方が先に設置されている場合でも、モード切換手段を用いて給湯機の作動モードを運転制限モードに設定しておくことができる。これにより、通信設定を完了するために電源を投入した場合に、電動機の作動を禁止し、通水していない電動機が空転するのを防止することができる。従って、電動機の故障を防止しつつ、ネットワークとの通信設定を円滑に行うことができる。
【図面の簡単な説明】
【０００８】
【図１】本発明の実施の形態１による貯湯式の給湯機を示す全体構成図である。
【図２】給湯機の制御装置及びリモコンの構成を模式的に示す機能ブロック図である。
【図３】本発明の実施の形態１において、給湯機の動作の一例を示すフローチャートである。
【図４】本発明の実施の形態２において、給湯機の制御装置及びリモコンを示す機能ブロック図である。
【図５】本発明の実施の形態２において、給湯機の動作の一例を示すフローチャートである。
【発明を実施するための形態】
【０００９】
実施の形態１．
以下、図１乃至図３を参照して、本発明の実施の形態１について説明する。なお、本明細書で使用する各図においては、共通する要素に同一の符号を付し、重複する説明を省略するものとする。図１は、本発明の実施の形態１による貯湯式の給湯機を示す全体構成図である。この図に示すように、本実施の形態の給湯機は、貯湯ユニット１００と、ヒートポンプ式の熱源機２００とを備えている。熱源機２００は、圧縮機２０１、水冷媒熱交換器２０２、膨張弁２０３及び空気熱交換器２０４を冷媒循環配管２０５により環状に接続することで構成されている。圧縮機２０１は、電動機を駆動源とする電動コンプレッサ等により構成されている。水冷媒熱交換器２０２は、貯湯ユニット１００から導入される低温水と、冷媒循環配管２０５を流れる高温な冷媒との間で熱交換を行うことにより、低温水を加熱して高温水を生成するものである。空気熱交換器２０４には、空気熱交換器２０４に外気を流通させるファン２０６が付設されている。
【００１０】
貯湯ユニット１００には、貯湯タンク１０１、沸き上げポンプ１０２、追焚きポンプ１０３、追焚き熱交換器１０４及び後述の各配管１０５〜１０８，１１０が搭載されている。貯湯タンク１０１は、熱源機２００により加熱された湯水を貯湯するもので、貯湯タンク１０１の下部には、市水等の低温水をタンク内に供給する給水配管１０５が接続されている。沸き上げポンプ１０２は、沸き上げ運転時において、貯湯タンク１０１の下部から取出した低温水を後述の沸き上げ配管１０６に流通させるものである。追焚きポンプ１０３は、追焚き運転時において、貯湯タンク１０１の上部から取出した高温水を後述の追焚き配管１０７に流通させる。また、追焚き熱交換器１０４は、貯湯タンク１０１に貯湯された高温水と浴槽水との間で熱交換を行うことにより、浴槽水を加熱（追焚き）するものである。なお、図１では、追焚き熱交換器１０４の給湯対象として浴槽１１１を例示したが、給湯対象として、例えば温水循環型の暖房機器等を採用し、追焚き熱交換器１０４により暖房機器の循環水を加熱する構成としてもよい。
【００１１】
次に、貯湯ユニット１００に搭載された配管１０６〜１０８，１１０について説明する。まず、沸き上げ配管１０６は、一端側が貯湯タンク１０１の下部に接続され、他端側が貯湯タンク１０１の上部に接続されている。沸き上げ配管１０６の途中には、沸き上げポンプ１０２と、水冷媒熱交換器２０２の２次側とが接続されている。沸き上げ運転時には、沸き上げポンプ１０２及び熱源機２００が駆動されることにより、貯湯タンク１０１の下部から沸き上げ配管１０６に低温水が流出する。この低温水は、沸き上げ配管１０６を流通しつつ、沸き上げポンプ１０２及び水冷媒熱交換器２０２を通過し、水冷媒熱交換器２０２により加熱されて高温水となる。そして、この高温水は、沸き上げ配管１０６から貯湯タンク１０１の上部に流入し、当該タンク内に貯留される。
【００１２】
追焚き配管１０７は、一端側が貯湯タンク１０１の上部に接続され、他端側が貯湯タンク１０１の下部に接続されている。なお、図１に示す構成例では、沸き上げ配管１０６と追焚き配管１０７の端部をＴ字状に合流させてから貯湯タンク１０１に接続している。追焚き配管１０７の途中には、追焚きポンプ１０３と、追焚き熱交換器１０４の１次側と、給湯配管１０８とが接続されている。給湯配管１０８は、給湯運転時において、追焚き配管１０７を流れる高温水を外部の給湯対象に供給する。なお、図１では、給湯配管１０８による給湯対象として、シャワー、カラン等の給湯栓１０９を例示している。
【００１３】
一方、追焚き熱交換器１０４の２次側には、風呂循環配管１１０を介して浴槽１１１が接続され、風呂循環配管１１０の途中には浴槽ポンプ１１２が設置されている。浴槽ポンプ１１２は、追焚き運転時において、浴槽１１１内に貯留された湯水（浴槽水）を浴槽１１１と追焚き熱交換器１０４の２次側との間で循環させるものである。追焚き運転時には、追焚きポンプ１０３及び浴槽ポンプ１１２が駆動されることにより、貯湯タンク１０１の上部から取出された高温水が追焚き熱交換器１０４の１次側及び追焚きポンプ１０３を経由して貯湯タンク１０１の下部に戻される。また、浴槽水は、浴槽ポンプ１１２の作動により風呂循環配管１１０を循環しつつ、追焚き熱交換器１０４の２次側を通過する。この結果、浴槽水は、追焚き熱交換器１０４を流れる高温水により加熱された後に浴槽１１１に戻されることになり、浴槽水の追焚きが行われる。
【００１４】
上記構成において、熱源機２００及び追焚き熱交換器１０４は、湯水を加熱する加熱装置を構成している。また、沸き上げ配管１０６、追焚き配管１０７、給湯配管１０８及び風呂循環配管１１０は、加熱装置に出入りする湯水が流通する回路であって、少なくとも一部が給湯栓１０９、浴槽１１１等の給湯対象と接続された湯水流通回路を構成している。さらに、沸き上げポンプ１０２、追焚きポンプ１０３及び浴槽ポンプ１１２は、図示しない電動機を駆動源とする電動ポンプにより構成されている。これらのポンプ１０２，１０３，１１２は、上述のように、前記湯水流通回路に接続され、湯水流通回路に湯水を流通させるものである。
【００１５】
次に、給湯機の制御系統について説明する。給湯機は、その運転状態を制御する制御装置３００と、給湯機の使用者等により操作されるリモートコントローラ（リモコン）４００とを備えている。制御装置３００は、例えばＲＯＭ、ＲＡＭ、不揮発性メモリ等を含む記憶回路と、記憶回路に記憶されたプログラムに従って演算処理を行う演算処理装置と、信号の入出力を行うための入出力ポートとを備えている。制御装置３００の入力側には、各部の配管に設置された温度センサ、流量センサ、各ポンプの回転数を検出するポンプ回転センサ等を含むセンサ系統が個別に接続されている。
【００１６】
制御装置３００の出力側には、圧縮機２０１、ポンプ１０２，１０３，１１２、及び各部の配管に設置された弁類等を含むアクチュエータが個別に接続されており、これらのアクチュエータの作動状態は制御装置３００により制御される。これにより、制御装置３００は、熱源機２００の出湯温度や出湯量を調整したり、給湯機の運転形態を切換えて沸き上げ運転、追焚き運転、給湯運転等を実行する。また、制御装置３００の構成を機能的に説明すると、次のようになる。
【００１７】
図２は、給湯機の制御装置及びリモコンの構成を模式的に示す機能ブロック図である。この図に示すように、制御装置３００は、機器制御手段３０１、機器側通信手段３０２、機器側操作手段３０３、設定記憶手段３０４、外部通信手段３０５、圧縮機制御手段３０６、沸き上げポンプ制御手段３０７、追焚きポンプ制御手段３０８及び浴槽ポンプ制御手段３０９を備えている。これらの手段は、制御装置３００に搭載された電気的な回路、またはプログラム等により実現される機能を図示したものである。
【００１８】
機器制御手段３０１は、センサ系統からの入力信号、機器側操作手段３０３及びリモコン４００の操作内容等に基いて、前記アクチュエータを統合的に制御することにより、必要に応じて沸き上げ運転、追焚き運転及び給湯運転を実行する。具体的に述べると、例えば貯湯タンク１０１の残量が規定よりも減少した場合には、沸き上げ運転を実行する。また、使用者のリモコン操作等により浴槽水を再加熱する追焚き要求が生じた場合には、追焚き運転を実行する。
【００１９】
機器側通信手段３０２は、リモコン４００との間でデータ通信を行うものである。データ通信の通信手段は、信号線を介した有線通信でもよいし、赤外線等を介した無線通信でもよい。また、データ通信の方法としては、シリアル通信を採用してもよい。リモコン４００により運転条件の切換、設定の変更等が実施されると、その内容は、データ通信により機器側通信手段３０２に送信され、必要に応じて設定記憶手段３０４に記憶される。この結果、リモコン４００の操作内容が給湯機の運転状態に反映される。また、制御装置３００により各種の報知動作を行う場合には、その報知内容が機器側通信手段３０２からリモコン４００に送信される。
【００２０】
機器側操作手段３０３は、制御装置３００に設けられたスイッチ、ボタン、タッチパネル等により構成され、好ましくは、制御装置３００の基板に搭載されたディップスイッチ等により構成されている。機器側操作手段３０３は、手動で操作されることにより後述の作動モードを切換える第１のモード切換手段を構成している。また、機器側操作手段３０３は、給湯機の運転条件の切換、設定の変更等を実行する操作機器として兼用してもよい。この構成によれば、給湯機の使用者は、リモコン４００を使用しなくても、運転条件の切換、設定の変更等を実行することができる。一方、設定記憶手段３０４は、例えば制御装置３００に搭載された記憶回路等により構成されている。設定記憶手段３０４には、リモコン４００及び機器側操作手段３０３の操作により設定された各種の運転条件と、ネットワーク５００との通信を可能とするための通信設定データとが記憶される。
【００２１】
外部通信手段３０５は、インターネット、サーバ等を含む外部のネットワーク５００と通信する機能を有している。外部通信手段３０５による通信は、設定記憶手段３０４に記憶された通信設定データと、ネットワーク５００側のサーバ等から送信される通信設定データとが整合した状態において可能となる。一方、圧縮機制御手段３０６、沸き上げポンプ制御手段３０７、追焚きポンプ制御手段３０８及び浴槽ポンプ制御手段３０９は、機器制御手段３０１により実行される統合的な制御に基いて、それぞれ圧縮機２０１、沸き上げポンプ１０２、追焚きポンプ１０３及び浴槽ポンプ１１２を個別に制御するもので、電動機の駆動回路等を備えている。
【００２２】
次に、リモコン４００の機能について説明する。リモコン４００は、使用者により給湯機の作動状態を操作するための機器である。ここで、制御装置３００とリモコン４００とは、例えば共通の主電源に接続されており、制御装置３００に電源を投入した場合には、リモコン４００にも電源が投入されるように構成されている。また、リモコン４００は、図２に示すように、リモコン制御手段４０１、リモコン側通信手段４０２、リモコン側操作手段４０３、設定入力手段４０４及び表示手段４０５を備えている。リモコン制御手段４０１は、例えば使用者による操作及び設定の内容を制御装置３００に送信する動作、表示手段４０５の表示動作等を統合的に制御するものである。リモコン側通信手段４０２は、前述の通信手段により制御装置３００の機器側通信手段３０２と接続され、機器側通信手段３０２との間で送信及び受信を含むデータ通信を実行する。
【００２３】
リモコン側操作手段４０３は、リモコン４００に設けられたスイッチ、ボタン、タッチパネル等により構成され、好ましくは、リモコン４００の基板に搭載されたディップスイッチ等により構成されている。リモコン側操作手段４０３は、手動で操作されることにより後述の作動モードを切換える第２のモード切換手段を構成している。一方、設定入力手段４０４は、リモコン４００に設けられたスイッチ、ボタン、タッチパネル等により構成されるもので、使用者に操作されることにより、給湯機の運転条件の切換、設定の変更等を行うものである。設定入力手段４０４により設定された内容は、リモコン側通信手段４０２から制御装置３００に送信され、給湯機の作動状態に反映される。表示手段４０５は、リモコン４００により設定された内容の表示、制御装置３００から出力される報知メッセージの表示等を行うものである。
【００２４】
なお、上記構成例では、機器制御手段３０１と設定記憶手段３０４とをマイクロコンピュータにより構成し、リモコン制御手段４０１を他のマイクロコンピュータにより構成してもよい。また、外部通信手段３０５としては、インターネット等のネットワーク５００に接続可能なＴＣＰ／ＩＰ通信を行うＬＡＮカードを用いてもよい。さらに、設定入力手段４０４と表示手段４０５とは、使用者に対する表示と操作の受付が可能なタッチパネルにより構成してもよい。一方、圧縮機制御手段３０６、沸き上げポンプ制御手段３０７、追焚きポンプ制御手段３０８及び浴槽ポンプ制御手段３０９は、ポンプ回転数指示手段またはポンプ電源制御用リレー等を用いることにより実現することができる。
【００２５】
次に、給湯機に搭載された作動モードの切換機能について説明する。本実施の形態の給湯機は、通常運転モードと運転制限モードとからなる少なくとも２つの作動モードを備えている。通常運転モードとは、圧縮機２０１、沸き上げポンプ１０２、追焚きポンプ１０３及び浴槽ポンプ１１２のうち、少なくとも１つの機器の電動機が作動する通常の運転動作を許可する作動モードである。また、運転制限モードは、ネットワーク５００との通信設定が行われることを許可した状態で圧縮機２０１及びポンプ１０２，１０３，１１２の全ての電動機の作動を禁止する作動モードである。
【００２６】
給湯機の作動モードは、機器側操作手段３０３（第１のモード切換手段）と、リモコン側操作手段４０３（第２のモード切換手段）のうち、少なくとも一方の手段を操作することにより、通常運転モードと運転制限モードとの間で排他的に切換えられる。具体例を挙げると、本実施の形態では、機器側操作手段３０３とリモコン側操作手段４０３の両方が通常運転モード位置に操作された場合にのみ、給湯機の作動モードが通常運転モードに設定される。また、機器側操作手段３０３とリモコン側操作手段４０３のうち少なくとも一方の手段が運転制限モード位置に操作された場合には、給湯機の作動モードが運転制限モードに切換えられる。
【００２７】
ここで、給湯機の設置工事時には、設置工事の途中または完了直後に給湯機とネットワーク５００との通信設定を完了したい場合が多い。この場合には、給湯機の湯水流通回路に通水していない状態で、通信設定を完了するために給湯機に電源を投入することがある。このような状態で給湯機が誤って起動されると、電源が投入されているポンプ１０２，１０３，１１２が空転することになり、圧縮機２０１及びポンプ１０２，１０３，１１２の電動機が故障する虞れがある。
【００２８】
このため、本実施の形態では、例えば給湯機を出荷してから設置工事後に通常の運転動作の準備が完了するまでの期間中に、機器側操作手段３０３とリモコン側操作手段４０３のうち少なくとも一方の手段を用いて給湯機の作動モードを運転制限モードに設定しておく。そして、運転制限モードにおいて、ネットワーク５００との通信設定を完了し、通信設定データの記憶保持と、通信が実現されたことの確認動作とを実行する。通信設定の完了後には、機器側操作手段３０３及びリモコン側操作手段４０３を手動で操作して作動モードを通常運転モードに切換えるか、または、制御装置３００によりネットワーク５００との通信状態が正常であることを判定したときに、通常運転モードへの切換を自動的に実行する。更には、ネットワーク５００からの指令に基いて通常運転モードへの切換を自動的に実行してもよい。
【００２９】
通常運転モードへの切換が自動的に行われる場合には、ネットワーク５００との通信が正常である限り、機器側操作手段３０３及びリモコン側操作手段４０３による設定が無視される。なお、上記説明において、「通常の運転動作」とは、圧縮機２０１及びポンプ１０２，１０３，１１２の何れかを作動させる運転動作を意味している。また、「通常の運転動作の準備が完了した状態」とは、給湯機の各配管に必要な通水が完了し、圧縮機２０１及びポンプ１０２，１０３，１１２の何れが作動しても電動機の空転が生じない状態を意味している。
【００３０】
なお、本実施の形態では、制御装置３００に第１のモード切換手段として機器側操作手段３０３を設置し、リモコン４００に第２のモード切換手段としてリモコン側操作手段４０３を設置する場合を例示した。しかし、本発明はこれに限らず、制御装置３００とリモコン４００の何れか一方のみにモード切換手段を設置する構成としてもよい。特に、リモコン４００にモード切換手段を設置した場合には、例えば給湯機の設置工事を行いながら可搬式のリモコン４００を用いて給湯機の作動モードを切換えることができるので、利便性を向上させることができる。
【００３１】
また、本発明のように、制御装置３００とリモコン４００の両方にモード切換手段を設置した場合には、両方のモード切換手段を操作しないと運転制限モードから通常運転モードに切換えることができない２重の安全システムを実現することができ、システムの信頼性を向上させることができる。
【００３２】
また、本実施の形態では、機器側操作手段３０３及びリモコン側操作手段４０３を、例えばディップスイッチ等のように、切換位置が機械構造的に保持されるスイッチにより構成したので、給湯機の電源が遮断された状態でも、電源の遮断前に設定された作動モードの保持及び切換を行うことができる。即ち、電源が一旦遮断されてから再投入された場合でも、遮断前の作動モードを継続することができ、作動モードが初期化されて想定外の状態となるのを回避することができる。また、電源の遮断中に実行される作動モードの切換操作を有効とすることができ、利便性を向上させることができる。
【００３３】
次に、図３を参照して、上述した制御を実現するための具体的な処理について説明する。図３は、本発明の実施の形態１において、給湯機の動作の一例を示すフローチャートである。この図に示すルーチンは、給湯機の主電源が投入されたときに実行されるものとする。また、以下の説明では、場合によって、通常運転モードのことを「Ａモード」と表記し、運転制限モードのことを「Ｂモード」と表記することがある。
【００３４】
図３に示すルーチンでは、まず、ステップＳ６００において、主電源が投入されると、機器制御手段３０１とリモコン制御手段４０１とが作動する。そして、ステップＳ６０１では、外部通信手段３０５によりネットワーク５００に対して通信設定の要求を送信する。この送信処理では、例えばＤＨＣＰサーバに対するＩＰアドレス要求通知のようなデータを送信する。
【００３５】
次に、ステップＳ６０２では、ネットワーク５００からの応答（例えばＤＨＣＰサーバからの応答）が受信されたか否かを判定する。この判定が成立した場合には、後述のステップＳ６０５に移行する。また、ステップＳ６０２の判定が不成立の場合には、ステップＳ６０３に移行する。そして、ステップＳ６０３では、機器側操作手段３０３の操作状態が「Ｂモード」であるか否かを判定する。また、ステップＳ６０４では、リモコン側操作手段４０３の操作状態が「Ｂモード」であるか否かを判定する。
【００３６】
上記ステップ６０３，６０４の判定処理では、例えば機器側操作手段３０３及びリモコン側操作手段４０３を構成する２つのディップスイッチのうち、少なくとも一方のディップスイッチの切換位置が「Ｂモード」である場合に、後述のステップＳ６０７に移行する。また、前記２つのディップスイッチの切換位置が両方とも「Ａモード」である場合には、ステップＳ６１５に移行し、給湯機の作動モードを「Ａモード」に切換える。そして、ステップＳ６１６では、前述の沸き上げ運転、追焚き運転、給湯運転等が可能となる通常の運転動作を許可する。
【００３７】
一方、ステップＳ６０５では、外部通信手段３０５によりネットワーク５００からの応答が受信されたので、設定記憶手段３０４から通信設定データを読出し、ステップＳ６０６に移行する。なお、通信設定データは、少なくともステップＳ６０１の実行時点で設定されているものとする。次に、ステップＳ６０６では、設定記憶手段３０４から読出した通信設定データと、ネットワーク５００から受信した通信設定データとを比較し、両者間に内容の差異がないか否かを判定する。この判定が不成立の場合、即ち、両方の通信設定データが一致した場合には、ネットワーク５００との通信設定が完了したので、前記ステップＳ６１５に移行し、給湯機を通常運転モードに復帰させる。
【００３８】
ステップＳ６０６の判定が成立した場合には、ネットワーク５００との通信設定が完了していないので、通信設定を行うためにステップＳ６０７に移行する。そして、ステップＳ６０７では、給湯機の作動モードを「Ｂモード」に切換え、ステップＳ６０８では、電動機の停止を指示し、全ての電動機の作動を禁止する。この処理を詳しく述べると、機器制御手段３０１は、圧縮機制御手段３０６、沸き上げポンプ制御手段３０７、追焚きポンプ制御手段３０８及び浴槽ポンプ制御手段３０９に対して、電動機の回転数を零とするか、または電源をオフとする指示を出力する。
【００３９】
次に、ステップＳ６０９では、ネットワーク５００からの通信設定データの受付を開始し、ステップＳ６１０では、通信設定データの受付が完了するまで待機する。通信設定データの具体例としては、例えばＩＰアドレス、接続ゲートウェイアドレス等が挙げられる。次に、ステップＳ６１１では、ネットワーク５００との通信設定データを設定記憶手段３０４に記憶し、ステップＳ６１２では、設定記憶手段３０４から読出した通信設定データを用いて、外部通信手段３０５によりネットワーク５００との接続を試行する。
【００４０】
そして、ステップＳ６１３では、接続が確立されたか否かを確認し、確認が完了した場合には、ステップＳ６１４に移行してネットワーク設定動作が完了した判断とする。このとき、ステップＳ６１２の接続試行処理は、ステップＳ６１３で接続の確立が確認されるまで継続する。また、接続の確立が確認された場合には、確認したことを機器側通信手段３０２からリモコン４００に送信し、このことを表示手段４０５に表示させる構成としてもよい。
【００４１】
以上詳述した通り、本実施の形態によれば、例えば給湯機の設置工事等において、配管系統よりも電源系統の方が先に設置されている場合でも、機器側操作手段３０３またはリモコン側操作手段４０３を用いて給湯機の作動モードを運転制限モードに設定しておくことができる。これにより、通信設定を完了するために電源を投入した場合に、電動機の作動を禁止し、通水していない電動機が空転するのを防止することができる。従って、電動機の故障を防止しつつ、ネットワーク５００との通信設定を円滑に行うことができる。
【００４２】
また、本実施の形態では、制御装置３００及びリモコン４００を操作することなく、ネットワーク５００側から通信設定を変更可能な構成としてもよい。そして、ネットワーク５００側から通信設定を変更する場合には、機器側操作手段３０３及びリモコン側操作手段４０３の切換位置を無視する構成とすればよい。即ち、通常運転モード中にネットワーク５００からの通信により通信設定を行う場合には、機器側操作手段３０３及びリモコン側操作手段４０３による作動モードの設定を無視して通常運転モードを維持する構成としてもよい。この構成によれば、通信設定が一旦完了した後には、ネットワーク５００と接続されている限り、通常運転モードを維持することができる。従って、機器側操作手段３０３及びリモコン側操作手段４０３が誤操作された場合でも、不要な運転制限モードに切換えられるのを防止し、利便性を向上させることができる。
【００４３】
実施の形態２．
次に、図４及び図５を参照して、本発明の実施の形態２について説明する。図４は、本発明の実施の形態２において、給湯機の制御装置及びリモコンを示す機能ブロック図である。この図に示すように、本実施の形態のリモコン４００′は、リモコン側設定記憶手段４０６を備えている。リモコン側設定記憶手段４０６は、ネットワーク５００との通信設定に用いる通信設定データ（例えばＩＰアドレス、接続ゲートウェイアドレス）を記憶するように構成されている。また、リモコン４００′は、制御装置３００を作動させる主電源でも作動するが、主電源と異なる補助電源によっても作動するように構成されている。
【００４４】
次に、図５を参照して、本実施の形態による給湯機の作動について説明する。図５は、本発明の実施の形態２において、給湯機の動作の一例を示すフローチャートである。なお、この図中に示す「Ａモード」及び「Ｂモード」は、前記実施の形態１と同様に定義される。まず、図５に示すルーチンの開始前には、給湯機の主電源を遮断した状態において、補助電源によりリモコン４００′を起動する。そして、上述の通信設定データをリモコン側設定記憶手段４０６に予め記憶させておく。なお、補助電源は、この通信設定データの記憶処理が完了した時点で遮断しておいてもよい。
【００４５】
一方、図５に示すルーチンでは、まず、ステップＳ７００において、主電源が投入されると、機器制御手段３０１及びリモコン制御手段４０１が作動する。そして、リモコン側設定記憶手段４０６に記憶された通信設定データに基いて、ネットワーク５００との通信設定が行われる。詳しく述べると、まず、ステップＳ７０１では、リモコン制御手段４０１がリモコン側設定記憶手段４０６に記憶された通信設定データを読出し、この通信設定データを、リモコン側通信手段４０２と機器側通信手段３０２とを介して機器制御手段３０１に送信する。
【００４６】
次に、ステップＳ７０２では、リモコン制御手段４０１から受信された通信設定データと、設定記憶手段３０４から読出した通信設定データとを比較し、両者間に内容の差異がないか否かを判定する。この判定が成立した場合には、ネットワーク５００との通信設定が完了していないので、通信設定を行うためにステップＳ７０３に移行する。そして、ステップＳ７０３では、給湯機の作動モードを「Ｂモード」に切換え、ステップＳ７０４では、電動機の停止を指示し、全ての電動機の作動を禁止する。
【００４７】
次に、ステップＳ７０５では、リモコン制御手段４０１から受信された通信設定データを設定記憶手段３０４に記憶し、ステップＳ７０６では、設定記憶手段３０４から読出した通信設定データを用いて、外部通信手段３０５によりネットワーク５００との接続を試行する。そして、ステップＳ７０７では、接続が確立されたか否かを確認し、確認が完了した場合には、ステップＳ７０８に移行してネットワーク設定動作が完了した判断とする。このステップＳ７０６〜Ｓ７０８の処理は、前記実施の形態１（図３）におけるステップＳ６１２〜Ｓ６１４と同様の処理である。
【００４８】
一方、ステップＳ７０２の判定が不成立の場合には、ステップＳ７０９に移行し、給湯機の作動モードを「Ａモード」に切換える。そして、ステップＳ７１０では、前述の沸き上げ運転、追焚き運転、給湯運転等が可能となる通常の運転動作を許可する。
【００４９】
なお、本実施の形態においても、例えばリモコン側設定記憶手段４０６に通信設定データを記憶させていない状態で主電源を投入した場合には、前記実施の形態１と同様に、機器側操作手段３０３及びリモコン側操作手段４０３の設定内容、即ち、ディップスイッチの切換位置に応じて給湯機の作動モードを切換える構成としてもよい。そして、この場合には、例えば機器側操作手段３０３とリモコン側操作手段４０３の両方が通常運転モード位置に操作された場合にのみ通常運転モードに切換え、機器側操作手段３０３とリモコン側操作手段４０３のうち少なくとも一方の手段が運転制限モード位置に操作された場合に運転制限モードに切換える構成としてもよい。また、ネットワーク５００側から通信設定を変更する場合には、機器側操作手段３０３及びリモコン側操作手段４０３の切換位置を無視する構成とすればよい。
【００５０】
以上詳述した通り、本実施の形態によれば、給湯機の主電源を遮断した状態において、補助電源によりリモコン４００′のみを作動させ、通信設定データをリモコン側設定記憶手段４０６に予め記憶させておくことができる。そして、主電源を投入したときには、リモコン４００′から制御装置３００に送信される通信設定データに基いて、通信設定を短時間で効率よく完了することができる。これにより、ネットワーク５００に対する接続要求の発信等が不要となり、また、給湯機の主電源を投入してから通信設定が完了するまでの時間が短縮することができる。従って、主電源を投入した後において、通水していない電動機が空転するような誤操作の機会が減少するので、電動機の故障を防止しつつ、ネットワーク５００の通信設定を円滑に行うことができる。
【００５１】
なお、前記実施の形態１，２では、機器側操作手段３０３及びリモコン側操作手段４０３を、ディップスイッチ等のように切換位置が機械構造的に保持されるスイッチにより構成する場合を例示した。しかし、本発明はこれに限らず、例えば操作時にのみ初期位置から変位して操作後に初期位置に復帰する自動復帰型のスイッチをモード切換手段として用いる構成としてもよい。この場合には、制御装置やリモコンによりスイッチ操作を検出して記憶しておく構成とすればよい。
【００５２】
また、上記のように、自動復帰型のスイッチを採用した場合には、モード切換手段により設定された作動モードの設定をネットワーク５００により操作することが可能な構成としてもよい。また、切換位置が保持されるスイッチをモード切換手段として採用した場合には、モード切換手段による前記作動モードの設定を無視して通常運転モードを維持する構成とすればよい。これらの構成によれば、給湯機の使用者等が機器側操作手段３０３及びリモコン側操作手段４０３を直接操作しなくても、ネットワーク５００を利用して給湯機の作動モードを自動的に切換えることができ、利便性を向上させることができる。
【００５３】
なお、前記実施の形態では、貯湯式給湯機を例に挙げて説明したが、本発明はこれに限らず、貯湯タンクを持たない給湯機に適用してもよい。また、実施の形態では、給湯機を例に挙げて説明したが、本発明はこれに限らず、電動機を搭載すると共に設置作業が必要な各種の装置（例えば床暖房装置、エアコン等）に適用してもよい。
【符号の説明】
【００５４】
１００  貯湯ユニット，２００  熱源機（加熱装置），２０１  圧縮機，２０２  水冷媒熱交換器，１０１  貯湯タンク，１０２  沸き上げポンプ，１０３  追焚きポンプ，１０４  追焚き熱交換器（加熱装置），１０５  給水配管，１０６  沸き上げ配管（湯水流通回路），１０７  追焚き配管（湯水流通回路），１０８  給湯配管，１０９  給湯栓（給湯対象），１１０  風呂循環配管（湯水流通回路），１１１  浴槽（給湯対象），１１２  浴槽ポンプ，３００  制御装置，３０１  機器制御手段，３０２  機器側通信手段，３０３  機器側操作手段（第１のモード切換手段），３０４  設定記憶手段，３０５  外部通信手段，３０６  圧縮機制御手段，３０７  沸き上げポンプ制御手段，３０８  追焚きポンプ制御手段，３０９  浴槽ポンプ制御手段，４００，４００′  リモートコントローラ，４０１  リモコン制御手段，４０２  リモコン側通信手段，４０３  リモコン側操作手段（第２のモード切換手段），４０４  設定入力手段，４０５  表示手段，４０６  リモコン側設定記憶手段，５００  ネットワーク
【図１】
2014095536.tif 000003
【図２】
2014095536.tif 000004
【図３】
2014095536.tif 000005
【図４】
2014095536.tif 000006
【図５】
2014095536.tif 000007